(57)【要約】【課題】部品を増やすことなく正特性サーミスタを保持する。【解決手段】電子機器は、ブラウン管と、一次側に実装された一次側電子部品５１と二次側に実装された二次側電子部品５２とを有する基板５と、ブラウン管に設けられ、通電により着磁されたブラウン管を消磁する消磁コイル４と、基板５に設けられ、基板５から電流を出力する出力コネクタ６と、消磁コイル４の各端部にそれぞれ設けられ、出力コネクタ６から出力された電流を消磁コイル４に入力する入力コネクタ７１，７２と、基板５に電気的に接続され、消磁コイル４とでブラウン管の消磁回路を構成するとともに、外力の作用により一次側電子部品５１又は二次側電子部品５２に向けて傾倒可能な正特性サーミスタ５５と、を備え、出力コネクタ６は、正特性サーミスタ５５の二次側電子部品５２への傾倒を所定範囲内に規制する。【選択図】図２
2007005418.tif 000002
【特許請求の範囲】
【請求項１】
ブラウン管と、
一次側に実装された一次側電子部品と二次側に実装された二次側電子部品とを有する基板と、
前記ブラウン管に設けられ、通電により着磁された前記ブラウン管を消磁する消磁コイルと、
前記基板に設けられ、前記基板から電流を出力する出力コネクタと、
前記消磁コイルの各端部にそれぞれ設けられ、前記出力コネクタに接続することにより前記出力コネクタから出力された電流を前記消磁コイルに入力する入力コネクタと、
前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、
前記出力コネクタには、当該出力コネクタを前記基板に取り付けた際に前記正特性サーミスタを収容する収容部が形成され、
前記出力コネクタは、当該出力コネクタを前記基板に取り付けた状態で、前記正特性サーミスタの前記二次側電子部品への傾倒を前記収容部の壁面で所定範囲内に規制するとともに、前記正特性サーミスタの前記一次側電子部品への傾倒を前記収容部の壁面で所定範囲内に規制することを特徴とする電子機器。
【請求項２】
ブラウン管と、
一次側に実装された一次側電子部品と二次側に実装された二次側電子部品とを有する基板と、
前記ブラウン管に設けられ、通電により着磁された前記ブラウン管を消磁する消磁コイルと、
前記基板に設けられ、前記基板から電流を出力する出力コネクタと、
前記消磁コイルの各端部にそれぞれ設けられ、前記出力コネクタに接続することにより前記出力コネクタから出力された電流を前記消磁コイルに入力する入力コネクタと、
前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、
前記出力コネクタは、前記正特性サーミスタの前記二次側電子部品への傾倒を所定範囲内に規制することを特徴とする電子機器。
【請求項３】
前記出力コネクタは、前記正特性サーミスタの前記一次側電子部品への傾倒を所定範囲内に規制することを特徴とする請求項２に記載の電子機器。
【請求項４】
前記入力コネクタと前記出力コネクタを一体成形したことを特徴とする請求項２又は３に記載の電子機器。
【発明の詳細な説明】
【技術分野】
【０００１】
本発明は、ブラウン管の消磁を行うにあたり、消磁回路を構成する正特性サーミスタの傾倒を防止することができる電子機器に関する。
【背景技術】
【０００２】
ブラウン管を備えるテレビやパーソナルコンピュータ等の電子機器においては、ブラウン管が周囲環境や外的要因による磁界の影響などで着磁すると、電子銃からＲＧＢの蛍光体に向けて発射された電子ビームがその磁界の影響で曲げられ、表示画面の色純度が悪化する。これを防止するためには、ブラウン管に着磁した磁気を消磁する必要があり、一般には、ブラウン管に消磁コイルを配置して、この消磁コイルに最初は比較的大きく、数秒経過後に微小に急減衰する交流電流を流すことにより消磁が行われている。
【０００３】
消磁コイルは基板に電気的に接続されており、消磁コイルと基板に実装された電子部品とで消磁回路が形成される。この消磁回路には、正特性サーミスタが組み込まれており、消磁効果はこの正特性サーミスタにより発揮される。これは、正特性サーミスタが、最初に通電した際に大きな電流が流れて消磁機能を発揮し、その後の発熱により自身の抵抗値を高め、短時間のうちに流れる電流を制限する性質を有するからである。
【０００４】
正特性サーミスタは、リード線を有しており、このリード線が基板にハンダ付けされることにより、基板に取り付けられている。
【０００５】
ところで、正特性サーミスタは通電により高温に発熱するため、外力の作用により、リード線が折れ曲がって周囲の電子部品に接触すると、周囲の電子部品に悪影響（過電流等）を与えるおそれがある。
【０００６】
そのため、例えば、ＵＬ規格においては、基板に実装された電子部品のうち、（１）一次側の電子部品は正特性サーミスタが倒れても接触しない位置に配置すること、（２）二次側の電子部品は正特性サーミスタが倒れても接触しない位置、かつ、倒れた正特性サーミスタと二次側の電子部品との間に３ｍｍ以上の間隔がある位置に配置すること、が定められている。よって、正特性サーミスタの周囲には傾倒した場合を考慮して必ずスペースを確保しなければならず、基板の小型化を図ることが困難であった。
【０００７】
このような問題を解決するため、例えば、基板に実装される電子部品の両端側壁を弾性挟持する弾持片と電子部品の前面と背面を支持する支持部とを有し、弾持片及び支持部より電子部品を四方向から保持するホルダーが提案されている（例えば、特許文献１参照。）。
【０００８】
また、凹部が形成されるとともに取付脚により基板に装着され、この凹部で電子部品を保持するホルダーが提案されている（例えば、特許文献２参照。）。
【０００９】
また、基板上に載置される底板と互いに対向する挟持板とを有し、この挟持板により電子部品を挟持して、電子部品の倒れを防止するプロテクターが提案されている（例えば、特許文献３参照。）。
【特許文献１】特開平７−２１２０５８号公報
【特許文献２】実開平４−９２６８２号公報
【特許文献３】実開平１−１４６５７４号公報
【発明の開示】
【発明が解決しようとする課題】
【００１０】
しかし、特許文献１〜３に示すような保持具を用いて正特性サーミスタを保持する場合、正特性サーミスタを保持するためだけに、基板に設けなければならない部品が増えることになる。部品が増えることにより、電子部品のレイアウト設計が困難になるうえ、基板
の小型化、軽量化を図ることが困難になる。また、部品の増加により、コストアップにつながるという問題があった。
【００１１】
そこで、本発明は、上記課題を解決するためになされたものであり、部品を増やすことなく正特性サーミスタを保持することができる電子機器を提供することを目的とする。
【課題を解決するための手段】
【００１２】
以上の課題を解決するため、請求項１に記載の発明は、電子機器において、ブラウン管と、一次側に実装された一次側電子部品と二次側に実装された二次側電子部品とを有する基板と、前記ブラウン管に設けられ、通電により着磁された前記ブラウン管を消磁する消磁コイルと、前記基板に設けられ、前記基板から電流を出力する出力コネクタと、前記消磁コイルの各端部にそれぞれ設けられ、前記出力コネクタに接続することにより前記出力コネクタから出力された電流を前記消磁コイルに入力する入力コネクタと、前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、前記出力コネクタには、当該出力コネクタを前記基板に取り付けた際に前記正特性サーミスタを収容する収容部が形成され、前記出力コネクタは、当該出力コネクタを前記基板に取り付けた状態で、前記正特性サーミスタの前記二次側電子部品への傾倒を前記収容部の壁面で所定範囲内に規制するとともに、前記正特性サーミスタの前記一次側電子部品への傾倒を前記収容部の壁面で所定範囲内に規制することを特徴とする。
【００１３】
請求項２に記載の発明は、電子機器において、ブラウン管と、一次側に実装された一次側電子部品と二次側に実装された二次側電子部品とを有する基板と、前記ブラウン管に設けられ、通電により着磁された前記ブラウン管を消磁する消磁コイルと、前記基板に設けられ、前記基板から電流を出力する出力コネクタと、前記消磁コイルの各端部にそれぞれ設けられ、前記出力コネクタに接続することにより前記出力コネクタから出力された電流を前記消磁コイルに入力する入力コネクタと、前記基板に電気的に接続され、前記消磁コイルとで前記ブラウン管の消磁回路を構成するとともに、前記一次側電子部品と前記二次側電子部品との間に設けられ、外力の作用により前記一次側電子部品又は前記二次側電子部品に向けて傾倒可能な正特性サーミスタと、を備え、前記出力コネクタは、前記正特性サーミスタの前記二次側電子部品への傾倒を所定範囲内に規制することを特徴とする。
【００１４】
請求項３に記載の発明は、請求項２に記載の電子機器において、前記出力コネクタは、前記正特性サーミスタの前記一次側電子部品への傾倒を所定範囲内に規制することを特徴とする。
【００１５】
請求項４に記載の発明は、請求項２又は３に記載の電子機器において、前記入力コネクタと前記出力コネクタを一体成形したことを特徴とする。
【発明の効果】
【００１６】
請求項１に記載の発明によれば、消磁コイルに設けられた入力コネクタを基板上に設けられた出力コネクタに接続することにより基板から消磁コイルに電流が流れて消磁回路が機能し、着磁したブラウン管を消磁する。
【００１７】
ここで、出力コネクタには、当該出力コネクタを基板に取り付けた際に正特性サーミスタを収容する収容部が形成されているため、出力コネクタを基板に取り付けると正特性サーミスタが収容部に収容される。そして、出力コネクタは、当該出力コネクタを基板に取り付けた状態で、正特性サーミスタの二次側電子部品への傾倒を収容部の壁面で所定範囲内に規制するとともに、正特性サーミスタの一次側電子部品への傾倒を収容部の壁面で所定範囲内に規制する。
【００１８】
これにより、外力の作用により正特性サーミスタが一次側電子部品又は二次側電子部品に向けて傾倒しようとしても出力コネクタにより傾倒が防止される。ここで、出力コネクタは、正特性サーミスタの傾倒を防止するためだけの部品ではなく、もともと消磁コイルと基板とを電気的に接続するための部品であり、その部品を正特性サーミスタの傾倒を防止する部材として兼用したものであるため、従来のように正特性サーミスタを抑えるために新たな部品を設ける必要がない。
【００１９】
従って、部品が増えることにより、基板上の電子部品のレイアウト設計が困難になることがない。むしろ、正特性サーミスタの傾倒に際して確保すべきスペースを他の電子部品のレイアウト等に利用することができるので、基板のレイアウト設計の自由度を向上させることができる。
【００２０】
また、正特性サーミスタは所定範囲を超えて傾倒することがないので、従来では確保する必要があった正特性サーミスタと一次側電子部品との間のスペース及び正特性サーミスタと二次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。
【００２１】
請求項２に記載の発明によれば、消磁コイルに設けられた入力コネクタを基板上に設けられた出力コネクタに接続することにより基板から消磁コイルに電流が流れて消磁回路が機能し、着磁したブラウン管を消磁する。
【００２２】
ここで、出力コネクタは、正特性サーミスタの二次側電子部品への傾倒を所定範囲内に規制する。
【００２３】
これにより、外力の作用により正特性サーミスタが二次側電子部品に向けて傾倒しようとしても出力コネクタにより傾倒が防止される。ここで、出力コネクタは、正特性サーミスタの傾倒を防止するためだけの部品ではなく、もともと消磁コイルと基板とを電気的に接続するための部品であり、その部品を正特性サーミスタの傾倒を防止する部材として兼用したものであるため、従来のように正特性サーミスタを抑えるために新たな部品を設ける必要がない。
【００２４】
従って、部品が増えることにより、基板上の電子部品のレイアウト設計が困難になることがない。むしろ、正特性サーミスタの傾倒に際して確保すべきスペースを他の電子部品のレイアウト等に利用することができるので、基板のレイアウト設計の自由度を向上させることができる。
【００２５】
また、正特性サーミスタは所定範囲を超えて傾倒することがないので、従来では確保する必要があった正特性サーミスタと二次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。また、正特性サーミスタの傾倒に際して確保すべきスペースが大きな二次側電子部品への傾倒を抑えるので、スペースの縮小効率が高い。
【００２６】
請求項３に記載の発明によれば、消磁コイルに設けられた入力コネクタを基板上に設けられた出力コネクタに接続することにより基板から消磁コイルに電流が流れて消磁回路が機能し、着磁したブラウン管を消磁する。
【００２７】
ここで、出力コネクタは、正特性サーミスタの一次側電子部品への傾倒を所定範囲内に規制する。
【００２８】
これにより、外力の作用により正特性サーミスタが一次側電子部品に向けて傾倒しようとしても出力コネクタにより傾倒が防止される。ここで、出力コネクタは、正特性サーミスタの傾倒を防止するためだけの部品ではなく、もともと消磁コイルと基板とを電気的に接続するための部品であり、その部品を正特性サーミスタの傾倒を防止する部材として兼用したものであるため、従来のように正特性サーミスタを抑えるために新たな部品を設け
る必要がない。
【００２９】
従って、部品が増えることにより、基板上の電子部品のレイアウト設計が困難になることがない。むしろ、正特性サーミスタの傾倒に際して確保すべきスペースを他の電子部品のレイアウト等に利用することができるので、基板のレイアウト設計の自由度を向上させることができる。
【００３０】
また、正特性サーミスタは所定範囲を超えて傾倒することがないので、従来では確保する必要があった正特性サーミスタと一次側電子部品との間のスペースを縮小することができるので、基板の小型化、軽量化を図ることが容易になる。また、新たに部品を増やすことなく正特性サーミスタの傾倒を所定範囲内に抑えることができるので、コストアップを回避することができる。
【００３１】
請求項４に記載の発明によれば、入力コネクタと出力コネクタを一体成形したので、従来はそれぞれ別個の部品であったものを一つの部品にすることができるので、部品数を減らすことができる。これにより、基板のレイアウト設計の自由度を向上させることができる。
【００３２】
また、基板への取り付け作業においても、従来は出力コネクタを基板に設ける作業と出力コネクタに入力コネクタを接続する作業が必要であったが、これらのコネクタを一体成形することで基板に取り付ける作業だけで基板と消磁コイルの接続が完了する。これにより、作業工数を減らすことができ、生産効率の向上を図ることができる。
【発明を実施するための最良の形態】
【００３３】
以下、図面を参照して、本発明に係る電子機器の最良の形態について詳細に説明する。なお、本実施形態においては、ブラウン管を備える電子機器としてブラウン管テレビを例に挙げて説明する。
＜電子機器の構成＞
図１に示すように、ブラウン管テレビ１（以下、テレビ１という。）は、ブラウン管２がプラスチック等から形成された筐体３に嵌め込まれている。
【００３４】
ブラウン管２は、前方に向かうにつれて断面が拡大された形状とされ、後方に設けられた電子銃２１から電子ビームを前方に設けられた蛍光面２２に向けて放射することにより、蛍光面２２を発光させて映像を形成する。また、ブラウン管２の前面の周囲には、通電により着磁したブラウン管２を消磁する消磁コイル４が設けられている。この消磁コイル４は、テレビ１の内部に設けられた基板５に電気的に接続されており、基板５から電流が供給されることによりブラウン管２の消磁を行うものである。
【００３５】
図２〜図４に示すように、基板５には、一次側となる一次側電子部品５１（セメント抵抗５３、コンデンサ５４等）と、二次側となる二次側電子部品５２が設けられている。そして、一次側電子部品５１と二次側電子部品５２との間には、正特性サーミスタ５５が設けられている。
【００３６】
正特性サーミスタ５５は、消磁コイル４とで消磁回路を構成し、ブラウン管２の消磁を行う。この正特性サーミスタ５５には、二本のリード線５５１が設けられており、各リード線５５１の端部で基板５に電気的に接続されている。このリード線５５１は、比較的軟らかい導電性の金属材料（例えば、アルミニウム等）から形成されており、人の指で押される力等の外力が作用することにより一次側電子部品５１又は二次側電子部品５２に向けて傾倒するようになっている。
【００３７】
正特性サーミスタ５５は、最初に通電した際に大きな電流が流れて消磁機能を発揮し、その後の発熱により自身の抵抗値を高め、短時間のうちに流れる電流を制限する電流制限素子としての性質を有しており、消磁回路に求められる機能を発揮する。
【００３８】
また、基板５には、当該基板５に電気的に接続され、電流を出力する出力コネクタ６が設けられている。
【００３９】
出力コネクタ６は、平面視矩形状かつ正面視凸字状に形成されている。出力コネクタ６には、正面（図４に示す向き）から見て中央部に、両端部よりも上方に突出するような突出部６１が形成され、この突出部６１には、上面から底面に貫通し、正特性サーミスタ５５を収容可能な大きさとされた収容部６２が形成されている。
【００４０】
また、出力コネクタ６には、正面（図４に示す向き）から見て両端部に、基板５と接続するための接続部６３が形成されている。この接続部６３には、上面から底面に貫通するように接続ピン６６，６７が設けられている。接続ピン６６，６７は導電性を有する金属材料から形成され、接続部６３の上面及び底面からそれぞれ突出するように設けられている。
【００４１】
従って、出力コネクタ６を基板５上に設ける際に、収容部６２に正特性サーミスタ５５を収容し、接続部６３の底面から突出した接続ピン６６，６７を基板５に固定することにより、正特性サーミスタ５５の一次側電子部品５１及び二次側電子部品５２への所定範囲以上の傾倒を収容部６２の壁面で防止することができる。なお、正特性サーミスタ５５の傾倒を許容する所定範囲とは、200gfの力で正特性サーミスタ５５を傾倒方向に押した場
合に、基板５に対して直立した状態から５°程度傾倒することができる範囲をいい、５°程度の傾倒を可能とする隙間が出力コネクタ６の突出部６１の収容部６２と正特性サーミスタ５５との間に形成されるように収容部６２が形成されている。
【００４２】
消磁コイル４の端部には、出力コネクタ６に電気的に接続され、出力コネクタ６から出力された電流を消磁コイル４に入力する入力コネクタ７１，７２が取り付けられている。ここで、入力コネクタ７１は、出力コネクタ６の接続部６３の上面から突出した接続ピン６６に電気的に接続され、入力コネクタ７２は、出力コネクタ６の接続部６３の上面から突出した接続ピン６７に電気的に接続される。
【００４３】
すなわち、基板５に流れる電流は、出力コネクタ６、入力コネクタ７１，７２を介して消磁コイル４に導かれるようになっている。なお、出力コネクタ６や入力コネクタ７１，７２は、正特性サーミスタ５５の発熱によって溶けないような材料、例えば、ＵＬ規格の難燃性グレードＶ０に認定されたプラスチックにより形成することが好ましい。
＜作用効果＞
実施形態のテレビ１によれば、消磁コイル４に設けられた入力コネクタ７１，７２を基板５上に設けられた出力コネクタ６に接続することにより基板５から消磁コイル４に電流が流れて消磁回路が機能し、着磁したブラウン管２を消磁する。
【００４４】
ここで、出力コネクタ６には、当該出力コネクタ６を基板５に取り付けた際に正特性サーミスタ５５を収容する収容部６２が形成されているため、出力コネクタ６を基板５に取り付けると正特性サーミスタ５５が収容部６２に収容される。そして、出力コネクタ６は、当該出力コネクタ６を基板５に取り付けた状態で、正特性サーミスタ５５の二次側電子部品５２への傾倒を収容部６２の壁面で所定範囲内に規制するとともに、正特性サーミスタ５５の一次側電子部品５１への傾倒を収容部６２の壁面で所定範囲内に規制する。
【００４５】
これにより、外力の作用により正特性サーミスタ５５が一次側電子部品５１又は二次側電子部品５２に向けて傾倒しようとしても出力コネクタ６により傾倒が防止される。ここで、出力コネクタ６は、正特性サーミスタ５５の傾倒を防止するためだけの部品ではなく、もともと消磁コイル４と基板５とを電気的に接続するための部品であり、その部品を正特性サーミスタ５５の傾倒を防止する部材として兼用したものであるため、従来のように正特性サーミスタ５５を抑えるために新たな部品を設ける必要がない。
【００４６】
従って、部品が増えることにより、基板５上の電子部品のレイアウト設計が困難になることがない。むしろ、正特性サーミスタ５５の傾倒に際して確保すべきスペースを他の電子部品のレイアウト等に利用することができるので、基板５のレイアウト設計の自由度を向上させることができる。
【００４７】
また、正特性サーミスタ５５は所定範囲を超えて傾倒することがないので、従来では確保する必要があった正特性サーミスタ５５と一次側電子部品５１との間のスペースＳ（図２及び図３参照）及び正特性サーミスタ５５と二次側電子部品５２との間のスペースを縮小することができるので、基板５の小型化、軽量化を図ることが容易になる。また、新たに部品を増やすことなく正特性サーミスタ５５の傾倒を所定範囲内に抑えることができるので、コストアップを回避することができる。
（変形例１）
図５は、上記実施形態における消磁コイル４と基板５との接続構造の変形例１である。なお、変形例１では、各部品の構造は上記実施形態と同じであり、接続ピン６６，６７が出力コネクタ６ではなく基板５に取り付けられている点で異なる。
【００４８】
変形例１においては、接続ピン６６，６７が基板５の裏側でハンダ付けされることにより基板５上に立設されており、この接続ピン６６，６７の間に正特性サーミスタ５５が設けられている。そして、接続ピン６６，６７と正特性サーミスタ５５の上方から出力コネクタ６がそれぞれを挿通させた状態で基板５上に取り付けられる。
【００４９】
出力コネクタ６の突出部６１に形成された収容部６２には、正特性サーミスタ５５が収容される。また、出力コネクタ６の接続部６３には、接続ピン６６，６７を挿通させるための挿通孔６８，６９が形成されており、出力コネクタ６を基板５に設けた際に挿通孔６８から接続ピン６６が突出し、挿通孔６９から接続ピン６７が突出するようになっている。
【００５０】
このような接続構造とすることにより、事前に接続ピン６６，６７を出力コネクタ６に固定しておく必要がなくなるので、組み立て時の作業を容易にすることができる。
（変形例２）
図６は、上記実施形態における消磁コイル４と基板５との接続構造の変形例２である。
【００５１】
変形例２においては、消磁コイル４と基板５を、出力コネクタ６及び入力コネクタ７１，７２に代えて共用コネクタ８により接続したものである。
【００５２】
共用コネクタ８は、上記実施形態における出力コネクタ６及び入力コネクタ７１，７２の機能を兼ね備えたものであり、平面視矩形状かつ正面視凹字状に形成されている。共用コネクタ８には、正面（図６に示す向き）から見て両端部に、中央部よりも上方に突出するような突出部８１が形成され、この突出部８１には、底面に開口されるとともに接続ピン６６，６７を収容可能な大きさとされ、接続ピン６６，６７の挿入により消磁コイル４と電気的に接続するための接続孔８３が形成されている。
【００５３】
また、共用コネクタ８には、正面（図６に示す向き）から見て中央部に、正特性サーミスタ５５の傾倒を防止する傾倒防止部８２が形成されている。この傾倒防止部８２には、正特性サーミスタ５５を挿入可能な大きさとされた収容部８４が形成されている。また、傾倒防止部８２は、正特性サーミスタ５５が所定範囲内でしか傾倒できないように正特性サーミスタ５５の傾倒を防止する必要最小限の高さを有している。
【００５４】
従って、共用コネクタ８を用いて消磁コイル４と基板５とを電気的に接続する際には、収容部８４に正特性サーミスタ５５を収容し、基板５上に立設された接続ピン６６，６７を各接続孔８３，８３に挿入することにより、正特性サーミスタ５５の一次側電子部品５１及び二次側電子部品５２への所定範囲以上の傾倒を傾倒防止部８２の壁面で防止することができる。なお、正特性サーミスタ５５の傾倒を許容する所定範囲とは、200gfの力で
正特性サーミスタ５５を傾倒方向に押した場合に、基板５に対して直立した状態から５°程度傾倒することができる範囲をいい、５°程度の傾倒を可能とする隙間が共用コネクタ８の傾倒防止部８２の収容部８４と正特性サーミスタ５５との間に形成されるように収容部８４が形成されている。
【００５５】
このような接続構造とすることにより、消磁コイル４と基板５の接続に際し、入力コネ
クタ７１，７２と出力コネクタ６を一体成形した共用コネクタ８を用いたので、従来はそれぞれ別個の部品であったものを一つの部品にすることができるので、部品数を減らすことができる。これにより、基板５のレイアウト設計の自由度を向上させることができる。
【００５６】
また、基板５への取り付け作業においても、従来は出力コネクタ６を基板５に設ける作業と出力コネクタ６に入力コネクタ７１，７２を接続する作業が必要であったが、共用コネクタ８を用いることで基板５に取り付ける作業だけで消磁コイル４と基板５の接続が完了する。これにより、作業工数を減らすことができ、生産効率の向上を図ることができる。
【００５７】
なお、本発明は、上記実施形態に限定されるものではない。例えば、出力コネクタ６において、正特性サーミスタ５５の傾倒を防止する突出部６１は、その壁面で正特性サーミスタ５５の傾倒を防止するものに限らず、正特性サーミスタ５５が傾倒する経路上に設けられた爪状の突起であってもよい。また、接続ピン６６，６７は、基板５や出力コネクタ６に設けられるものに限らず、入力コネクタ７１，７２に設けてもよい。
【図面の簡単な説明】
【００５８】
【図１】テレビの概略断面図である。
【図２】基板の斜視図である。
【図３】基板の平面図である。
【図４】消磁コイルと基板の接続構造において、一部を断面視した概略正面図である。
【図５】消磁コイルと基板の接続構造の変形例１において、一部を断面視した概略正面図である。
【図６】消磁コイルと基板の接続構造の変形例２において、一部を断面視した概略正面図である。
【符号の説明】
【００５９】
１  テレビ（電子機器）
２  ブラウン管
４  消磁コイル
５  基板
５１  一次側電子部品
５２  二次側電子部品
５５  正特性サーミスタ
６  出力コネクタ
６２  収容部
７１  入力コネクタ
７２  入力コネクタ
８  共用コネクタ
８４  収容部
【図１】
2007005418.tif 000003
【図２】
2007005418.tif 000004
【図３】
2007005418.tif 000005
【図４】
2007005418.tif 000006
【図５】
2007005418.tif 000007
【図６】
2007005418.tif 000008